(57)【要約】【課題】ライト電流のリード配線へのカップリングに起因するクロストーク電流を低減させる磁気ヘッド駆動装置を提供する。【解決手段】ライト素子部と磁気抵抗素子部とを備えた記録再生ヘッドと、前記ライト素子部と前記磁気抵抗素子部を駆動するための駆動回路と、前記記録再生ヘッドと前記駆動回路間を接続するライト配線及びリード配線を備え、前記ライト配線及び前記リード配線は、前記記録再生ヘッドと前記駆動回路間の少なくとも一部において並列に配置されてなり、前記記録再生ヘッドと駆動回路間の途中において前記ライト配線または前記リード配線のいずれか一方の配線が他方の配線に対して極性が反転するように配置されてなる、ことを特徴とする記憶装置。【選択図】図２
2007149157.tif 000002
【特許請求の範囲】
【請求項１】
ライト素子部と磁気抵抗素子部とを備えた記録再生ヘッドと、
前記ライト素子部と前記磁気抵抗素子部を駆動するための駆動回路と、
前記記録再生ヘッドと前記駆動回路間を接続するライト配線及びリード配線を備え、
前記ライト配線及び前記リード配線は、前記記録再生ヘッドと前記駆動回路間の少なくとも一部において並列に配置されるとともに、前記記録再生ヘッドと駆動回路間の途中において前記ライト配線または前記リード配線のいずれか一方の配線が他方の配線に対して極性が反転するように配置されてなる、
ことを特徴とする記憶装置。
【請求項２】
前記ライト配線及び前記リード配線は、前記駆動回路を搭載するフレキシブルプリント基板および中継フレキシブルプリント基板に設けられてなり、
中継フレキシブルプリント基板は、前記中継フレキシブルプリント基板の各配線と前記フレキシブルプリント基板の各配線を互いに接続する接続部を有し、
前記中継フレキシブルプリント基板のライト配線またはリード配線のいずれか一方の配線の配列が前記フレキシブルプリント基板における配線の配列とは異なることを特徴とする請求項１記載の記憶装置。
【請求項３】
前記ライト配線及び前記リード配線は、前記記録再生ヘッドを搭載するフレキシャおよび中継フレキシブルプリント基板に設けられてなり、
前記中継フレキシブルプリント基板は、前記ライト配線及び前記リード配線が並列に配置されるとともに、前記中継フレキシブルプリント基板の各配線と前記フレキシャの各配線とを接続する接続部を有し、
前記中継フレキシブルプリント基板のライト配線またはリード配線のいずれか一方の配線の配列が前記フレキシャにおける配線における配列とは異なることを特徴とする請求項１記載又は請求項２記載の記憶装置。
【請求項４】
記録再生ヘッドのライト素子部及び磁気抵抗素子部とそれらの駆動回路とを接続するライト配線及びリード配線を少なくとも備え、
前記ライト配線と前記リード配線は、前記記録再生ヘッドと前記駆動回路間の少なくとも一部において並列に配置されるとともに、前記記録再生ヘッドと前記駆動回路間の途中において前記ライト配線または前記リード配線のいずれか一方の配線が他方の配線に対して極性が反転するように配置されてなる、
ことを特徴とする磁気ヘッド駆動装置。
【請求項５】
記録再生ヘッドのライト素子部及び磁気抵抗素子部とそれらの駆動回路との間に接続配置可能に構成され、２本のライト配線及び２本のリード配線を少なくとも備えた中継フレキシブルプリント基板において、
前記リード配線と前記ライト配線のうち３本は、各接続端子部から同じ方向に引き出されて並列に配設されてなり、
残りの１本の配線は、接続端子部から他の３本とは異なる方向に引き出されて配設されてなること、を特徴とする中継フレキシブルプリント基板。
【発明の詳細な説明】
【技術分野】
【０００１】
本発明は、記憶装置における磁気ヘッド駆動装置の配線構造に関する。
【背景技術】
【０００２】
図１に従来例の記憶装置の磁気ヘッド駆動装置のクロストークの説明図を示す。
図１(a)にクロストーク概要を示す。従来の磁気ヘッド駆動装置５１のヘッド５２及び伝送路構成からライト時におけるリードヘッドへの影響を説明する。
【０００３】
ライト時に駆動回路(プリアンプ)５９のＬＳＩからライトヘッドのコイルに向けてライト信号の電流が流れる。この時、駆動回路とヘッド間において、特に、駆動回路とフレキシャ間において、ヘッドアームの厚さ方向幅の狭いスペースにライト配線とリード配線の４本を配置しなければならない為に、ライト配線とリード配線の配線間隔を小さくする必要がある。さらに、他の用途で配線を増やすことも提案されており、配線間隔がより狭くなっていく傾向にある。
【０００４】
従って、狭い配線間隔により、ライト配線に流れるライト電流による配線間のカップリングから、リード配線にクロストーク電流が発生しやすくなってきている。
【０００５】
また、ヘッドとフレキシャ間の配線をフレキシブルプリント基板で実現する場合は狭いフレキャ上に配置することになり、必然的に配線間隔が狭くなり、フレキャの小型化により、同様にクロストーク電流が発生しやすくなってきている。
【０００６】
別の観点では、ヘッド５２内部では、ライトヘッドの薄膜コイルの真下にリードヘッドのＭＲ素子があるため、ヘッドの内部配線またはコイルからＭＲ素子に直接クロストーク電流が流れ込む場合がある。
【０００７】
さらに、データの書き込みを行うライト信号は数十mAで発生するため、ライト動作時に発生するクロストーク電流によってリード配線に数mA流れる可能性があり、これに対してＭＲ素子の許容電流(耐圧)は数mA程度であり、たとえ数mA程度のクロストーク電流であってもリード配線に与える影響は大きい。
【０００８】
特に、クロストーク電流がＭＲ素子に流れ込むと、その電流量によっては、ＭＲ素子を劣化させ、破壊させることもある。
【０００９】
さらに、ＭＲ素子がＴＭＲ（トンネル型磁気抵抗素子）になり、ＭＲ素子の許容電流量がより小さくなることで、クロストーク電流によるMR素子への影響が重要な課題となっている。
【００１０】
図１(b)に伝送路構成を示す。プリアンプ５９からヘッド５２までの伝送路は、アクチュエータ上に、プリアンプ５９、リードライト／フレキシブルプリント基板５８（図示はＲＷ／ＦＰＣ５８）、中継フレキシブルプリント基板−リードライト／フレキシブルプリント基板接続部５７（図示は中継ＦＰＣ−ＲＷ／ＦＰＣ接続部５７）、中継フレキシブルプリント基板本体部５６（図示は中継ＦＰＣ５６）、フレキシャ−中継フレキシブルプリント基板接続部５５（図示はフレキシャ−中継ＦＰＣ接続部５５）、フレキシャ５４、スライダ５３に形成されているヘッド５２で構成されている。中継フレキシブルプリント基板６０は、フレキシャ−中継ＦＰＣ接続部５５、
中継ＦＰＣ本体部５６、フレキシャ−中継フレキシブルプリント基板接続部５５からなる。
【００１１】
従来は、ライト電流がプリアンプ５９からヘッド５２へ流れる場合、ライト配線wyに近接して並行に配線されているリード配線rxが影響を受け、リード配線rx上、リードヘッドの方向へとクロストーク電流がそのまま流れ込む（図１(b)の破線矢印参照）。その結果、リードヘッドのＭＲ素子に耐圧以上の負荷がかかり、素子の破壊が生じる場合がある。
【００１２】
また、ライト用のコイルの直下にリード用のＭＲ素子があることから、ヘッド５２内のリード配線の一方の極性にライト配線が最近接している。そのためにライト配線直下にあるリード配線に強くクロストーク電流が発生する。このリードヘッド内のクロストークの極性が伝送路の配線間のクロストーク極性と同一の場合、相乗作用により更に大きなストレスがＭＲ素子に加わることになる。
【００１３】
クロストーク電流の影響を低減する方法として、従来におい、ライト配線とリード配線の間隔を広げる方法（特許文献１）、配線の周囲にガードのためのシールド層を配置する方法（特許文献２）、すなわち同軸構造が考えられている。
【特許文献１】特開２０００-１２３５１３号公報（第４頁段落００２５、図１）
【特許文献２】特開２００１−０９３２４８号公報（第２頁段落０００８、図１）
【発明の開示】
【発明が解決しようとする課題】
【００１４】
従来技術のように、配線間のクロストークを避けるため、配線間隔を広げる方法、配線にシールド層を追加する方法は、ＦＰＣの幅が広くなり実装上の問題が生じ、又は配線に関するコストが高価となるという問題が生じる。
【００１５】
本願発明は、配線パターンを変更することによりリード配線もしくはリード素子へ流れ込むライト電流に起因するクロストーク電流を低減させることで、リード素子の劣化、破壊を減少させ、寿命、信頼性を向上させる磁気ヘッド駆動装置、記憶装置及び中継フレキシブルプリント基板の提供を目的とする。
【課題を解決するための手段】
【００１６】
本願発明の記憶装置及び磁気ヘッド駆動装置は、ライト素子部と磁気抵抗素子部とを備えた記録再生ヘッドと、ライト素子部と磁気抵抗素子部を駆動するための駆動回路と、記録再生ヘッドと駆動回路間を接続するライト配線及びリード配線を備え、ライト配線及びリード配線は、記録再生ヘッドと駆動回路間の少なくとも一部において並列に配置されるとともに、記録再生ヘッドと駆動回路間の途中においてライト配線またはリード配線のいずれか一方の配線が他方の配線に対して極性が反転するように配置されてなる構成である。
【００１７】
この構成により、ライト配線及びリード配線は、記録再生ヘッドと駆動回路間の途中においてライト配線またはリード配線のいずれか一方の配線が他方の配線に対して極性が反転し、同一極性から逆極性に換わるように配置されているので、同一極性の配線構成部分のクロストーク電流と逆極性の配線構成部分のクロストーク電流とを互いに相殺させることができ、全体的なクロストーク電流量を小さくすることが可能になる。
【００１８】
従って、全体的なクロストーク電流を低減することで、最終的にリード素子へ流れ込むクロストーク電流を低減し、リード素子の劣化、破壊を防止することが可能になる。
【００１９】
また、本願発明の記憶装置は、ライト配線及びリード配線は、駆動回路を搭載するフレキシブルプリント基板および中継フレキシブルプリント基板に設けられてなり、中継フレキシブルプリント基板は、中継フレキシブルプリント基板の各配線とフレキシブルプリント基板の各配線を互いに接続する接続部を有し、中継フレキシブルプリント基板のライト配線またはリード配線のいずれか一方の配線の配列がフレキシブルプリント基板における配線の配列とは異なる構成である。
【００２０】
また、本願発明の記憶装置は、ライト配線及びリード配線は、記録再生ヘッドを搭載するフレキシャおよび中継フレキシブルプリント基板に設けられてなり、中継フレキシブルプリント基板は、ライト配線及び前記リード配線が並列に配置されるとともに、中継フレキシブルプリント基板の各配線とフレキシャの各配線とを接続する接続部を有し、中継フレキシブルプリント基板のライト配線またはリード配線のいずれか一方の配線の配列がフレキシャにおける配線における配列とは異なる構成である。
【００２１】
これらの構成により、中継フレキシブルプリント基板の接続部の構成を変えるだけの簡単な構成で、リード配線またはライト配線を交差させて、配線の極性を反転させることができる。
【００２２】
また、記録再生ヘッドと駆動回路間の途中に配置される中継フレキシブルプリント基板において、リード配線またはライト配線の極性が反転する箇所を設けることにより、その前後で発生したクロストーク電流を相殺させて、全体的なクロストーク電流を低減させることが可能になる。従って、最終的にリード素子に流れ込むクロストーク電流を低減することができ、リード素子の劣化、破壊を防止することが可能になる。さらに、クロストーク電流が発生しやすい中継フレキシブルプリント基板にこのような構成を設けることで効率的にクロストーク電流を低減させることができる。
【００２３】
また、本願発明の中継フレキシブルプリント基板は、記録再生ヘッドのライト素子部及び磁気抵抗素子部とそれらの駆動回路との間に接続配置可能に構成され、２本のライト配線及び２本のリード配線を少なくとも備えた中継フレキシブルプリント基板において、前記リード配線と前記ライト配線のうち３本は、各接続端子部から同じ方向に引き出されて並列に配設されてなり、残りの１本の配線は、接続端子部から他の３本とは異なる方向に引き出されて配設されてなる構成である。
【００２４】
この構成により、中継フレキシブルプリント基板の接続端子部により配線の構成を変えるだけの簡単な構成で、リード配線またはライト配線を交差させて、配線の極性を反転させることができる。また、記録再生ヘッドと駆動回路間の途中に配置される中継フレキシブルプリント基板において、リード配線またはライト配線の極性を反転させる箇所を設けたことにより、その前後で発生したクロストーク電流を相殺させて、全体的なクロストーク電流を低減させることが可能になる。従って、最終的にリード素子に流れ込むクロストーク電流を低減することができ、リード素子の劣化、破壊を防止することが可能になる。さらに、クロストーク電流が発生しやすい中継フレキシブルプリント基板にこのような構成を設けることで効率的にクロストーク電流を低減させることができる。
【発明の効果】
【００２５】
本願発明により、リード配線もしくはリード素子へ流れ込むライト電流に起因するクロストーク電流を低減させることで、リード素子へ流れ込むクロストーク電流を低減し、リード素子の劣化、破壊を防止し、磁気ヘッド駆動装置及び記憶装置の寿命及び信頼性を向上させることが可能になる。
【発明を実施するための最良の形態】
【００２６】
図６に記憶装置の説明図を示す。
記憶装置１１は、ヘッド２を搭載するアクチュエータ１２、ボイスコイルモータ１３を備えたアクチュエータ駆動部１４、磁気ディスク媒体１５が取り付けられたスピンドルモータ１６、ハードディスクコントローラ等を搭載した信号処理基板等がベース１８上に設けられている。
【００２７】
また、アクチュエータ１２の側面にはリードライト／フレキシブルプリント基板８の一端が固定されて取り付けられており、この上にプリアンプ９が搭載されている。また、このリードライトフレキシブルプリント基板８の他端は固定部材１７を経由して信号処理基板に接続されている。また、このリードライトフレキシブルプリント基板８からは、中継フレキシブルプリント基板６によりフレキシャ４までアクチュエータ１２の側面に沿って伸びている。
【００２８】
図２に、第一実施例の磁気ヘッド駆動装置の配線パターンの説明図を示す。
磁気ディスク媒体１５をリードライトするための磁気ヘッド駆動装置１は、アクチュエータアーム１２に搭載され、ヘッド２を搭載したスライダ３からフレキシャ４、フレキシャ−中継フレキシブルプリント基板接続部５（以降フレキシャ−中継ＦＰＣ接続部５）、中継フレキシブルプリント基板本体部６（以降中継ＦＰＣ本体部６）、中継フレキシブルプリント基板−リードライト／フレキシブルプリント基板接続部７（以降中継ＦＰＣ−ＲＷ／ＦＰＣ接続部７）、リードライト／フレキシブルプリント基板８（以降ＲＷ／ＦＰＣ８）上のプリアンプ９まで、配線接続されている回路である。
【００２９】
ヘッド２は、ＴＭＲやＧＭＲなどのＭＲ素子からなるリード素子、およびライト素子で構成される。
スライダ３は、ヘッド２を搭載するものである。
フレキシャ４は、スライダ３及び配線を搭載するものである。
【００３０】
中継ＦＰＣ１０は、中継ＦＰＣ本体部６とは、フレキシャ−中継ＦＰＣ接続部５、中継ＦＰＣ−ＲＷ／ＦＰＣ接続部７よりなる。
【００３１】
フレキシャ−中継ＦＰＣ接続部５は、中継ＦＰＣ本体部６とフレキシャ間の配線について、接続端子部３１により接続するものである。接続端子部３１および接続端子部３１周辺のパターンを含む。
【００３２】
中継ＦＰＣ本体部６は、フレキシャ４とＲＷ／ＦＰＣ８間の信号をフレキシャ−中継ＦＰＣ接続部５、中継ＦＰＣ−ＲＷ／ＦＰＣ接続部７を通して中継するためのフレキシブルプリント基板である。ライト配線、リード配線が並行に隣接されて配線されている。この中継ＦＰＣ本体部６は、単層で構成されている。但し、多層でも可能である。
【００３３】
中継ＦＰＣ−ＲＷ／ＦＰＣ接続部７は、中継ＦＰＣ本体部６とＲＷ／ＦＰＣ８間の配線について、接続端子部３１により接続するものである。接続端子部３１および接続端子部３１周辺のパターンを含むものである。
【００３４】
ＲＷ／ＦＰＣ８は、ヘッド２のリードライト用のプリアンプ９を搭載し、固定部材１７を経由して信号処理基板に接続されている。
【００３５】
プリアンプ(駆動回路)９は、再生用のリードアンプとデータを記録するためのライトドライバを有する。
wx,wyは第１のライト配線、第２のライト配線を、rx,ryは第１のリード配線、第２のリード配線を示す。また、矢印は、電流の流れる方向を示す。
図２（ａ）は、リード配線の配線変更パターンの説明図である。
クロストークの減少のための第１の方法は、フレキシャ−中継ＦＰＣ接続部５と中継ＦＰＣ−ＲＷ／ＦＰＣ接続部７でリード配線の極性を変える配線をする。これにより、中継ＦＰＣにおけるリード信号の極性と他の部分のリード信号の極性とが、反転した関係の配線となる。
図２（ｂ）に、ライト配線の変更パターンの説明図を示す。
クロストークの減少のための第２の方法は、フレキシャ−中継ＦＰＣ接続部５と中継ＦＰＣ−ＲＷ／ＦＰＣ接続部７でライト配線の極性を変える配線をすることで、中継ＦＰＣにおけるリード信号の極性と他の部分の極性とを反転した関係にする方法である。
【００３６】
図３に、中継ＦＰＣの配線変更パターンの説明図を示す。
図３（ａ）にリード配線の変更パターンの説明図を示す。
中継ＦＰＣ−ＲＷ／ＦＰＣ接続部７において、第１のリード配線rx、第２のリード配線ryの極性を反転させ、中継ＦＰＣ−フレキシャ接続部５にて、極性を元に戻す配線をしている。
【００３７】
すなわち、プリアンプ９から中継ＦＰＣ−ＲＷ／ＦＰＣ接続部７までの第１のリード配線rxは、第２のライト配線wyに隣接している。しかし、中継ＦＰＣ−ＲＷ／ＦＰＣ接続部７でリード配線が反転し、中継ＦＰＣ本体部６では、第２のライト配線wyに隣接するのは、第２のリード配線ryとなる。そして、更にフレキシャ−中継ＦＰＣ接続部５で元に戻り、フレキシャ４では、第２のライト配線wyに隣接しているのは、第１のリード配線rxとなっている。
【００３８】
具体的には図示するように、中継ＦＰＣ本体部６においては、第１のライト配線wx、第２のライト配線wy、第２のリード配線ry、第１のリード配線rxの順に並ぶように配置するが、フレキシャ−中継ＦＰＣ接続部５、中継ＦＰＣ−ＲＷ／ＦＰＣ接続部７では、接続先のＲＷ／ＦＰＣの配線やフレキシャ４もしくはヘッド２に向かう配線と同様に、第１のライト配線wx用接続端子部３１、第２のライト配線wy用接続端子部３１、第１のリード配線rx用接続端子部３１、第２のリード配線ry用接続端子部３１の順に配置する。
【００３９】
このように、第２のリード配線ryを内側に配置し、第１のリード配線rxを外側に配置して、各接続端子部３１に引き回すことにより、単層のフレキシブルプリント基板で実現可能である。従って、接続先の第１のリード配線rx、第２のリード配線ryと、中継ＦＰＣ１０の第１のリード配線rx、第２のリード配線ryが交差して、接続部の前後で配線の極性を反転する構成を実現できる。
【００４０】
以上のように、中継ＦＰＣ１０における配線や接続部の構成を一部変更するだけの簡単な構成で、配線の極性を反転させることができ、高価なＲＷ／ＦＰＣ８やフレキシャ４等を設計変更することなく安価に実現できる。
【００４１】
なお、上記実施例では単層の中継ＦＰＣ１０で実現しているが、中継ＦＰＣ１０を多層にして配線そのものを交差させることにより反転することで実現しても良い。
【００４２】
一方、このような配線にする理由は、次のとおりである。
【００４３】
この配線に対するクロストークは、主に中継ＦＰＣ本体部６とヘッド２の内部配線の２箇所で発生している。
【００４４】
すなわち、中継ＦＰＣ１０は、フレキシャ４からアクチュエータアーム１２の側面に沿って配設されるが、この側面の幅は、約１ｍｍで微小である。この側面に、１ヘッド分のリード配線、ライト配線が各２本で、計４本が配設される。また磁気ディスク媒体１５の両面をアクセスする場合には、ヘッド２の２個分の計８本が配設される。このため、他の配線部分と比べて線間ピッチも微小とならざるを得ない。この傾向は、今後の浮上量制御のためのヒータをヘッド２に搭載する場合には、更に最大４本増えて最大計１２本となり、さらにピッチ間が狭くなり、クロストークの影響を受けやすい状況にある。
【００４５】
一方、ヘッド２の内部配線も薄膜化が進む状況のもとでは、更にヘッド２内部でのクロストークの影響の問題が出てくる。
【００４６】
まず、中継ＦＰＣ本体部６では第２のライト配線wyに最も近接する第２のリード配線ryがクロストーク電流の影響を大きく受ける。これは、中継ＦＰＣ本体部６の線間ピッチがフレキシャ４、ＲＷ／ＦＰＣ８に比べて小さいため、フレキシャ４、ＲＷ／ＦＰＣ８よりクロストークが発生しやすいためである。
【００４７】
このときのクロストーク電流は、第２のリード配線ry上、ヘッド２方向に流れようとする（図２(a)の中の破線矢印参照）。
【００４８】
一方、ヘッド内部配線では、ライト配線の真下にある第１のリード配線rxがクロストークの影響を大きく受ける。このときのクロストーク電流は、第１のリード配線rx上、ヘッド２の方向に流れると考えられる。
【００４９】
このため、この電流は、中継ＦＰＣ本体部６では、第２のライト配線wyに最も近接する第２のリード配線ryに流れるときは、プリアンプ９方向に流れる。
【００５０】
この結果、中継ＦＰＣ本体部６では、伝送路からのクロストーク電流は、ヘッド２方向に流れようとし、ヘッド２内部で発生したクロストーク電流は、プリアンプ９方向に流れようとするため、両クロストーク電流が打ち消し合いをする結果、クロストーク電流を減少させることができる。
【００５１】
さらに、クロストーク電流が発生しやすい中継ＦＰＣ１０にこのような構成を設けることで効率的にクロストーク電流を低減させることができる。
【００５２】
図３（ｂ）に、ライト配線の変更パターンの説明図を示す。
中継ＦＰＣ−ＲＷ／ＦＰＣ接続部７において、第１のライト配線wx、第２のライト配線wyの極性を反転させ、中継ＦＰＣ−フレキシャ接続部５にて、極性を元に戻す配線をしている。
【００５３】
すなわち、プリアンプ９から中継ＦＰＣ−ＲＷ／ＦＰＣ接続部７までの第２のライト配線wyは、第１のリード配線rxに隣接している。しかし、中継ＦＰＣ−ＲＷ／ＦＰＣ接続部７でライト配線が反転し、中継ＦＰＣ本体部６では、第１のリード配線rxに隣接するのは、第１のライト配線wxとなる。そして、更にフレキシャ−中継ＦＰＣ接続部５で元に戻り、フレキシャ４では、第１のリード配線rxに隣接しているのは、第２のライト配線wyとなっている。
【００５４】
具体的には図示するように、中継ＦＰＣ本体部６において、第２のライト配線wy、第１のライト配線wx、第１のリード配線rx、第２のリード配線ryの順に並ぶように配置するが、フレキシャ−中継ＦＰＣ接続部５、中継ＦＰＣ−ＲＷ／ＦＰＣ接続部７では、接続先のＲＷ／ＦＰＣ８の配線やフレキシャ４もしくはヘッド２に向かう配線と同様に、第１のライト配線wx用接続端子部３１、第２のライト配線wy用接続端子部３１、第１のリード配線rx用接続端子部３１、第２のリード配線ry用接続端子部３１の順に配置する。第１のライト配線wxを内側に配置し、第２のライト配線wyを外側に配置して、各接続端子部３１に引き回すことにより、単層のフレキシブルプリント基板で実現可能である。従って、接続先の第１のライト配線wx、第２のライト配線wyと、中継ＦＰＣ１０の第１のライト配線wx、第２のライト配線wyが交差して、接続部の前後で配線の極性を反転する構成を実現できる。
【００５５】
以上のように、中継ＦＰＣ１０における配線や接続部の構成を一部変更するだけの簡単な構成で、配線の極性を反転させることができ、高価なＲＷ／ＦＰＣ８やフレキシャ４等を設計変更することなく安価に実現できる。もちろん、中継ＦＰＣ１０ではなく、ＲＷ／ＦＰＣ８やフレキシャ４等の構成を同様に変更しても良い。
【００５６】
この配線に対するクロストークは、主に中継ＦＰＣ本体部６とヘッド２の内部配線の２箇所で発生している。
【００５７】
まず、中継ＦＰＣ本体部６では第１のライト配線wxに最も近接する第１のリード配線rxがクロストーク電流の影響を大きく受ける。このときのクロストーク電流は、第１のリード配線rx上、プリアンプ９方向に流れようとする（図２(b)の中の破線矢印参照）。
【００５８】
また、ヘッド内部配線では、ライト配線の真下にある第１のリード配線rxがクロストークの影響を大きく受ける。このときのクロストーク電流は、第１のリード配線rx上、ヘッド２を経由して第２のリード配線ryにクロストーク電流が流れるものとする。
【００５９】
この結果、中継ＦＰＣ本体部６では、伝送路からのクロストーク電流は、プリアンプ９方向に流れようとし、ヘッド内部で発生したクロストーク電流は、ヘッド方向に流れようとするため、両クロストーク電流が打ち消し合いをする結果、クロストーク電流を減少させることができる。
【００６０】
図４に第二実施例の磁気ヘッド駆動装置の配線変更パターンの説明図を示す。
wx,wyは第１のライト配線、第２のライト配線を、rx,ryは第１のリード配線、第２のリード配線を示す。また、矢印は、電流の流れる方向を示す。
【００６１】
クロストークの減少のための第３の方法は、ヘッド２内のクロストーク電流量と伝送路におけるクロストーク電流量が必ずしも同量とは限らないので、並走するライト配線またはリード配線のいずれか一方の配線が他方の配線に対して極性が反転する配線部分の累計の長さを調整して、ヘッド内クロストーク電流量と伝送路でのクロストーク電流量とが同一になるようにする事で、限りなくクロストーク電流量の発生を減らそうとするものである。
【００６２】
但し、ヘッド内クロストーク電流量の調整は、困難のため、伝送路上のクロストーク電流量の調整をする。
図４(a)にリード配線の変更パターンの説明図の説明図である。
具体的には、中継ＦＰＣ本体部６を複数持つことで、リード配線の極性反転を交互に極性反転をすることである。例えば、第１番目の中継ＦＰＣ本体部６とフレキシャ４とを接続する中継ＦＰＣ−フレキシャ接続部５で、リード配線の極性反転を行い、次に、第１番目の中継ＦＰＣ本体部６(１)と第２番目の中継ＦＰＣ本体部６(２)との中継フレキシブルプリント基板接続部２１（以降中継ＦＰＣ接続部２１）(１)により、リード配線の極性を基に戻す。次に、第２番目の中継ＦＰＣ本体部６(２)と第３番目の中継ＦＰＣ６(３)との中継ＦＰＣ接続部２１(２)により、リード配線の極性を反転する配線を行う。次に、第３番目の中継ＦＰＣ本体部６(３)とＲＷ／ＦＰＣ８とを接続する中継ＦＰＣ−ＲＷ／ＦＰＣ接続部７で、リード配線の極性を基に戻す配線を行う。このことで、並走するパターンが減少するので、クロストーク量を調整しうる。
【００６３】
図４(b)にライト配線の変更パターンの説明図を示す。
具体的には、中継ＦＰＣ本体部６を複数持つことで、ライト配線の極性反転を交互に極性反転をすることである。例えば、第１番目の中継ＦＰＣ本体部６(１)とフレキシャ４とを接続する中継ＦＰＣ−フレキシャ接続部５で、ライト配線の極性反転を行い、次に、第１番目の中継ＦＰＣ本体部６(１)と第２番目の中継ＦＰＣ本体部６(２)との中継ＦＰＣ接続部２１(１)により、ライト配線の極性を基に戻す。次に、第２番目の中継ＦＰＣ本体部６(２)と第３番目の中継ＦＰＣ(３)との中継ＦＰＣ接続部２１(２)により、ライト配線の極性を反転する配線を行う。次に、第３番目の中継ＦＰＣ本体部６(３)とＲＷ／ＦＰＣ８とを接続する中継ＦＰＣ−ＲＷ／ＦＰＣ接続部７で、ライト配線の極性を基に戻す配線を行う。このことで、並走するパターンが減少するので、クロストーク量を調整しうる。
【００６４】
図５に第三実施例の磁気ヘッド駆動装置の配線パターンの説明図を示す。
wx,wyは第１のライト配線、第２のライト配線を、rx,ryは第１のリード配線、第２のリード配線を示す。また、矢印は、電流の流れる方向を示す。
【００６５】
クロストークの減少のための第４の方法も、並走するライト配線またはリード配線のいずれか一方の配線が他方の配線に対して極性が反転している配線部分の累計の長さを調整して、ヘッド内クロストーク電流量と伝送路でのクロストーク電流量とが同一になるようにする事で、限りなくクロストーク電流量の発生を減らそうとするものである。
【００６６】
このため、中継ＦＰＣ本体部６を複数持つことで、リード配線の極性反転、ライト配線を交互に極性反転をする方法である。例えば、第１番目の中継ＦＰＣ本体部６(１)とフレキシャ４とを接続する中継ＦＰＣ−フレキシャ接続部５で、リード配線の極性反転を行い、次に、第１番目の中継ＦＰＣ本体部６(１)と第２番目の中継ＦＰＣ本体部６(２)との中継ＦＰＣ接続部(１)により、リード配線の極性を基に戻す。次に、第２番目の中継ＦＰＣ本体部６(２)と第３番目の中継ＦＰＣ本体部６(３)との中継ＦＰＣ接続部(２)により、ライト配線の極性を反転する配線を行う。次に、第３番目の中継ＦＰＣ本体部６(３)とＲＷ／ＦＰＣ８とを接続する中継ＦＰＣ−ＲＷ／ＦＰＣ接続部７で、ライト配線の極性を基に戻す配線を行う。
【００６７】
このことで、並走するパターンが減少するので、クロストーク量を調整しうる。
【００６８】
ここで、図２(a)の実施例の構成でモデルを作成し、このような配線について、シミュレーションと実測によりクロストーク低減の効果を測定した。
【００６９】
図７はクロストーク電流の従来方式と本実施例との比較を示す。
図７（ａ）はクロストーク電流のシミュレーション結果を示す。
ヘッド２近傍の伝送路第１のリード配線rx、第２のリード配線ry、リード素子に流れるクロストーク電流の最大値をシミュレーションによりプロットしている。従来方式と実施例と比較した場合において、ヘッド２近傍では、第２のリード配線ryはライト配線に隣接していないためにクロストーク電流の変化は無いが、第１のリード配線rxはライト配線と隣接している為にクロストーク電流が低下している様子が見られる。また、リード素子では、クロストーク電流が従来方式の半分以下に低下しており、クロストーク電流の低減効果が確認された。
【００７０】
また、配線の一部において実測した結果、図７（ｂ）に示す様に、従来方式の配線に流れるクロストーク電流の最大値と図２(a)の構成の実施例における配線に流れるクロストーク電流の最大値と比べると約１mAクロストーク電流が低減していることが確認された。
【００７１】
ＭＲ素子に流れる電流は、リード信号として数百μA程度であるから、クロストーク電流を約１mAでも低減できれば効果が大きく、素子破壊許容値までの余裕を確保することができる数値であることが確認された。これらの結果から、リード配線やリード素子へのライト電流に起因するクロストーク電流を、ヘッド内で発生するクロストーク電流と打ち消し合う配線にすることで、低減させることができる。この結果、リード素子に加わるストレスを減じられるので、リード素子の劣化、破壊を防止し、記憶装置としての寿命、信頼性を向上できる。
【００７２】
なお、本発明の磁気ヘッド駆動装置１は、記録再生ヘッド２のリード素子やライト素子から駆動回路までの伝送路上の、フレキシャ４、中継ＦＰＣ１０、ＲＷ／ＦＰＣ８(メインプリント基板)などの各部品単独、もしくは複合したものを包含する。
【００７３】
以上の実施形態に関し、更に以下の付記を開示する。
（付記１）ライト素子部と磁気抵抗素子部とを備えた記録再生ヘッドと、前記ライト素子部と前記磁気抵抗素子部を駆動するための駆動回路と、前記記録再生ヘッドと前記駆動回路間を接続するライト配線及びリード配線を備え、前記ライト配線及び前記リード配線は、前記記録再生ヘッドと前記駆動回路間の少なくとも一部において並列に配置されてなり、前記記録再生ヘッドと駆動回路間の途中において前記ライト配線または前記リード配線のいずれか一方の配線が他方の配線に対して極性が反転するように配置されてなる、ことを特徴とする記憶装置。
（付記２）前記ライト配線及び前記リード配線は、前記駆動回路を搭載するフレキシブルプリント基板および中継フレキシブルプリント基板に設けられてなり、中継フレキシブルプリント基板は、前記中継フレキシブルプリント基板の各配線と前記フレキシブルプリント基板の各配線を互いに接続する接続部を有し、前記中継フレキシブルプリント基板のライト配線またはリード配線のいずれか一方の配線の配列が前記フレキシブルプリント基板における配線の配列とは異なることを特徴とする付記１記載の記憶装置。
（付記３）前記ライト配線及び前記リード配線は、前記記録再生ヘッドを搭載するフレキシャおよび中継フレキシブルプリント基板に設けられてなり、前記中継フレキシブルプリント基板は、前記ライト配線及び前記リード配線が並列に配置されるとともに、前記中継フレキシブルプリント基板の各配線と前記フレキシャの各配線とを接続する接続部を有し、前記中継フレキシブルプリント基板のライト配線またはリード配線のいずれか一方の配線の配列が前記フレキシャにおける配線における配列とは異なることを特徴とする付記１記載の記憶装置。
（付記４）前記ライト配線及び前記リード配線は、前記記録再生ヘッドを搭載するフレキシャおよび中継フレキシブルプリント基板に設けられてなり、前記中継フレキシブルプリント基板は、前記ライト配線及び前記リード配線が並列に配置されるとともに、前記中継フレキシブルプリント基板の各配線と前記フレキシャの各配線とを接続する接続部を有し、前記中継フレキシブルプリント基板のライト配線またはリード配線のいずれか一方の配線の配列が前記フレキシャにおける配線における配列とは異なることを特徴とする付記２記載の記憶装置。
（付記５）記録再生ヘッドのライト素子部及び磁気抵抗素子部とそれらの駆動回路とを接続するライト配線及びリード配線を少なくとも備え、前記ライト配線と前記リード配線は、前記記録再生ヘッドと前記駆動回路間の少なくとも一部において並列に配置されるとともに、前記記録再生ヘッドと前記駆動回路間の途中において前記ライト配線または前記リード配線のいずれか一方の配線が他方の配線に対して極性が反転するように配置されてなる、ことを特徴とする磁気ヘッド駆動装置。
（付記６）前記ライト配線及び前記リード配線は、前記駆動回路を搭載するフレキシブルプリント基板および中継フレキシブルプリント基板に設けられてなり、中継フレキシブルプリント基板は、前記中継フレキシブルプリント基板の各配線と前記フレキシブルプリント基板の各配線を互いに接続する接続部を有し、前記中継フレキシブルプリント基板のライト配線またはリード配線のいずれか一方の配線の配列が前記フレキシブルプリント基板における配線の配列とは異なることを特徴とする付記５記載の磁気ヘッド駆動装置。
（付記７）前記ライト配線及び前記リード配線は、前記記録再生ヘッドを搭載するフレキシャおよび中継フレキシブルプリント基板に設けられてなり、前記中継フレキシブルプリント基板は、前記ライト配線及び前記リード配線が並列に配置されるとともに、前記中継フレキシブルプリント基板の各配線と前記フレキシャの各配線とを接続する接続部を有し、前記中継フレキシブルプリント基板のライト配線またはリード配線のいずれか一方の配線の配列が前記フレキシャにおける配線における配列とは異なることを特徴とする付記５記載の磁気ヘッド駆動装置。
（付記８）前記ライト配線及び前記リード配線は、前記記録再生ヘッドを搭載するフレキシャおよび中継フレキシブルプリント基板に設けられてなり、前記中継フレキシブルプリント基板は、前記ライト配線及び前記リード配線が並列に配置されるとともに、前記中継フレキシブルプリント基板の各配線と前記フレキシャの各配線とを接続する接続部を有し、前記中継フレキシブルプリント基板のライト配線またはリード配線のいずれか一方の配線の配列が前記フレキシャにおける配線における配列とは異なることを特徴とする付記６記載の磁気ヘッド駆動装置。
（付記９）記録再生ヘッドのライト素子部及び磁気抵抗素子部とそれらの駆動回路との間に接続配置可能に構成され、２本のライト配線及び２本のリード配線を少なくとも備えた中継フレキシブルプリント基板において、前記リード配線と前記ライト配線のうち３本は、各接続端子部から同じ方向に引き出されて並列に配設されてなり、残りの１本の配線は、接続端子部から他の３本とは異なる方向に引き出されて配設されてなること、を特徴とする中継フレキシブルプリント基板。
【産業上の利用可能性】
【００７４】
本発明は、ライト電流のリード配線へのカップリングに起因するクロストーク電流を低減させることで、寿命、信頼性を向上することができる磁気ヘッド駆動装置、記憶装置及び中継フレキシブルプリント基板に適用できる。
【図面の簡単な説明】
【００７５】
【図１】従来例の磁気ヘッド駆動装置のクロストークの説明図である。（ａ）原理説明図（ｂ）構成説明図
【図２】第一実施例の磁気ヘッド駆動装置の配線パターンの説明図である。（ａ）リード配線の変更パターンの説明図（ｂ）ライト配線の変更パターンの説明図
【図３】中継ＦＰＣの配線変更パターンの説明図である。（ａ）リード配線の変更パターンの説明図（ｂ）ライト配線の変更パターンの説明図
【図４】第二実施例の磁気ヘッド駆動装置の配線変更パターンの説明図である。（ａ）リード配線の変更パターンの説明図（ｂ）ライト配線の変更パターンの説明図
【図５】第三実施例の磁気ヘッド駆動装置の配線パターンの説明図である。
【図６】記憶装置の説明図である。
【図７】クロストーク電流の従来方式と本発明の実施例との比較図である。（ａ）はクロストーク電流のシミュレーション結果（ｂ）はクロストーク電流の実測結果
【符号の説明】
【００７６】
１  磁気ヘッド駆動装置
２  ヘッド
３  スライダ
４  フレキシャ
５  フレキシャ−中継フレキシブルプリント基板接続部
６  中継フレキシブルプリント基板本体部
７  中継フレキシブルプリント基板−リードライトフレキシブルプリント基板接続部
８  リードライトフレキシブルプリント基板
９  プリアンプ
１０  中継フレキシブルプリント基板
１１  記憶装置
１２  アクチュエータアーム
１３  ボイスコイルモータ
１４  アクチュエータ駆動部
１５  磁気ディスク媒体
１６  スピンドルモータ
１７  固定部材
１８  ベース
２１  中継フレキシブルプリント基板接続部
３１  接続端子部
【図１】
2007149157.tif 000003
【図２】
2007149157.tif 000004
【図３】
2007149157.tif 000005
【図４】
2007149157.tif 000006
【図５】
2007149157.tif 000007
【図６】
2007149157.tif 000008
【図７】
2007149157.tif 000009